(57)【要約】【課題】本発明は映像残留現象を有効改善することができる液晶表示装置及びその駆動方法を提供することを目的とする。【解決手段】本発明は、走査駆動回路と、共通電圧産生回路と、複数のソースラインと、複数の画素電極と、共通電極と、を含み、前記走査駆動回路は複数のソースラインを介して前記複数の画素電極に走査電圧を提供し、前記共通電圧産生回路は前記共通電極に共通電圧を提供する液晶表示装置の駆動方法において、何れか１つのフレームで、前記共通電圧は、一定の第一共通電圧と周期的に変化する第二共通電圧が重なって構成され、前記第二共通電圧の絶対値は、何れか１つのフレーム中の走査電圧と第一共通電圧の差値より小さく、１つの周期内で、前記第二共通電圧値が正数になる次数と負数になる次数が同じであることを特徴とする液晶表示装置の駆動方法を提供する。【選択図】図５
2008146080.tif 000002
【特許請求の範囲】
【請求項１】
走査駆動回路と、共通電圧産生回路と、複数ソースラインと、複数画素電極と、共通電極と、を備える液晶表示装置であって、
前記走査駆動回路は、複数ソースラインを介して前記複数画素電極に走査電圧を提供し、前記共通電圧産生回路は、前記共通電極に共通電圧を提供し、何れか１つのフレームで、前記共通電圧は、一定の第一共通電圧と周期的に変化する第二共通電圧が重なって構成され、前記第二共通電圧の絶対値は、何れか１つのフレーム中の走査電圧と第一共通電圧の差値より小さく、１つの周期内で、前記第二共通電圧値が正数になる次数と負数になる次数が同じであることを特徴とする液晶表示装置。
【請求項２】
走査駆動回路と、共通電圧産生回路と、複数のソースラインと、複数の画素電極と、共通電極と、を含み、前記走査駆動回路は複数のソースラインを介して前記複数の画素電極に走査電圧を提供し、前記共通電圧産生回路は前記共通電極に共通電圧を提供する液晶表示装置の駆動方法において、
何れか１つのフレームで、前記共通電圧は、一定の第一共通電圧と周期的に変化する第二共通電圧が重なって構成され、前記第二共通電圧の絶対値は、何れか１つのフレーム中の走査電圧と第一共通電圧の差値より小さく、１つの周期内で、前記第二共通電圧値が正数になる次数と負数になる次数が同じであることを特徴とする液晶表示装置の駆動方法。
【請求項３】
前記第二共通電圧の絶対値は、前記第一共通電圧値の５％より小さいことを特徴とする請求項２に記載の液晶表示装置の駆動方法。
【請求項４】
第ｎ−２フレームから第ｎ＋１フレームまで１つの周期を定義し、
第ｎ−２フレームで、前記第一共通電圧がＶｃｏｍであり、前記第二共通電圧が零であり、
第ｎ−１フレームで、前記第一共通電圧がＶｃｏｍであり、前記第二共通電圧が−Ｖａであり、且つ、該Ｖａが前記走査電圧と共通電圧Ｖｃｏｍの差値より小さく、
第ｎフレームで、前記第一共通電圧がＶｃｏｍであり、前記第二共通電圧が零であり、
第ｎ＋１フレームで、前記第一共通電圧がＶｃｏｍであり、前記第二共通電圧が＋Ｖａであることを特徴とする請求項２或いは３に記載の液晶表示装置の駆動方法。
【請求項５】
第ｎ−２フレームで、何れか１つの画素の画素電極に正電圧Ｖｄａｔａ１を印加し、且つＶｃｏｍ＞Ｖｄａｔａ１であり、
第ｎ−１フレームで、前記画素の画素電極に正電圧Ｖｄａｔａ２を印加し、且つＶｄａｔａ２＞Ｖｃｏｍであり、Ｖｄａｔａ２−Ｖｃｏｍ＝Ｖｃｏｍ−Ｖｄａｔａ１であり、
第ｎフレームで、前記画素の画素電極に正電圧Ｖｄａｔａ１を印加し、
第ｎ＋１フレームで、前記画素の画素電極に正電圧Ｖｄａｔａ２を印加することを特徴とする請求項４に記載の液晶表示装置の駆動方法。
【請求項６】
前記共通電圧産生回路は、電源入力端子と、オペアンプと、第一制御信号入力端子と、第二制御信号入力端子と、トランジスタＱ１と、トランジスタＱ２と、抵抗素子Ｒ１と、抵抗素子Ｒ２と、抵抗素子Ｒ０と、抵抗素子Ｒ３と、抵抗素子Ｒ４と、を備え、
前記抵抗素子Ｒ１と、抵抗素子Ｒ２と、抵抗素子Ｒ０と、抵抗素子Ｒ３と、抵抗素子Ｒ４とは、前記電源入力端子と接地点との間に順に直列接続され、
前記トランジスタＱ１のソース電極とドレイン電極は、それぞれ前記抵抗素子Ｒ３の両端に接続され、該トランジスタＱ１のゲート電極は、前記第一制御信号入力端子に接続され、
前記トランジスタＱ２のソース電極とドレイン電極は、それぞれ前記抵抗素子Ｒ４の両端に接続され、該トランジスタＱ２のゲート電極は、前記第二制御信号入力端子に接続され、
前記抵抗素子Ｒ１と抵抗素子Ｒ２の間の１つの接続点は、前記オペアンプの入力端子に接続され、前記オペアンプの他の入力端子は、該オペアンプの出力端子に直接接続されていることを特徴とする請求項２或いは３に記載の液晶表示装置の駆動方法。
【請求項７】
前記抵抗素子Ｒ０は、抵抗値が可変の抵抗素子であり、前記抵抗素子Ｒ３と抵抗素子Ｒ４の抵抗値は同じであることを特徴とする請求項６に記載の液晶表示装置の駆動方法。
【発明の詳細な説明】
【技術分野】
【０００１】
本発明は、液晶表示装置及び前記液晶表示装置の駆動方法に関するものである。
【背景技術】
【０００２】
液晶表示装置は、軽く、薄く、電力の消耗量が小さく、輻射が低い特性を有するので、表示装置として広く用いられている。
【０００３】
図１は、従来の液晶表示装置の構造を示す図である。前記液晶表示装置１０は、第一基板１１と、共通電極１２と、第一配向層１３と、液晶層１４と、第二配向層１５と、複数の画素電極１６と、第二基板１７と、を備える。前記第一基板１１と前記第二基板１７が相対に設置され、前記第一基板１１と前記第二基板１７の間に前記液晶層１４が設置されている。前記第一基板１１の内表面に、前記共通電極１２と前記第一配向層１３が順に設置され、前記第二基板１７の内表面に、前記画素電極１６と第二配向層１５が順に設置されている。各々の画素電極１６と、前記画素電極１６に対応する液晶分子と、前記画素電極１６に対応する一部分の共通電極１２と、が１つの画素を構成する。
【０００４】
１つの走査駆動回路が前記複数の画素電極１６に走査電圧を提供し、１つの共通電圧回路が前記共通電極１２に共通電圧を提供する。前記画素電極１６と前記共通電極１２に別々に走査電圧と共通電圧を印加されるとき、前記画素電極１６と前記共通電極１２の間に電場が生じる。前記電場は、液晶の配向状態を変化させてここを通過する光の状態を制御し、その通過する光の量の差により現れるパターンを表示する。
【０００５】
図２は、図１に示す液晶表示装置の１つの画素に印加された走査電圧と共通電圧の波形図である。第ｎ−１フレームで、前記画素の画素電極１６に正電圧Ｖｄａｔａ１を印加し、前記共通電極１２に正電圧Ｖｃｏｍを印加する。これで、Ｖｃｏｍ＞Ｖｄａｔａ１である。第ｎフレームで、前記画素の画素電極１６に正電圧Ｖｄａｔａ２を印加し、前記共通電極１２に正電圧Ｖｃｏｍを印加する。これで、Ｖｄａｔａ２＞Ｖｃｏｍであり、且つ、Ｖｄａｔａ２−Ｖｃｏｍ＝Ｖｃｏｍ−Ｖｄａｔａ１である。第ｎ＋１フレームで、前記画素の画素電極１６に正電圧Ｖｄａｔａ１を印加し、前記共通電極１２に正電圧Ｖｃｏｍを印加する。即ち、第ｎ＋１フレームの状態と第ｎ−１フレームの状態が同じであり、波形が規則に変化する。
【０００６】
前記駆動過程で、フレームが不同になることに従って、前記画素電極１６と前記共通電極１２の間の電場の方向が変化するが、電場の大小が不変する。電場の方向が変化し、大小が不変するときに、液晶の回転角度が同じである。実際産品中において、液晶表示装置１０の液晶層１４に分布される不純なイオンが、有機材料から製造した第一、第二配向膜１３、１５に付着される。この場合も、前記画素電極１６及び前記共通電極１２の間の電場の大小が不変しても、液晶分子が転動する角度が不変する。即ち、液晶分子が同じな位置に停止している。液晶分子は、不純なイオンに対する摩擦力が小さいので、前記液晶層１４の中の不純なイオンが前記第一、第二配向膜１３、１５に大量に付着され、前記第一配向膜１３と第二配向膜１５の間に直流電場が形成される。前記画素電極１６及び前記共通電極１２の間の電場が変化するときに、前記第一、第二配向膜１３、１５の間に形成される直流電場が続いて存在するので、液晶分子が一定に回転するか、全然回転しない。従って、映像が停止する状況が現れる可能性がある。
【発明の開示】
【発明が解決しようとする課題】
【０００７】
本発明の第一の目的は、前記のこうした課題を解決し、映像が停止する状況を有効改善することができる液晶表示装置を提供することである。
【０００８】
本発明の第二の目的は、前記のこうした課題を解決し、映像が停止する状況を有効改善することができる液晶表示装置の駆動方法を提供することである。
【課題を解決するための手段】
【０００９】
前記第一の目的を達成するため、本発明は、走査駆動回路と、共通電圧産生回路と、複数ソースラインと、複数画素電極と、共通電極と、を備える液晶表示装置であって、前記走査駆動回路は、複数ソースラインを介して前記複数画素電極に走査電圧を提供し、前記共通電圧産生回路は、前記共通電極に共通電圧を提供し、何れか１つのフレームで、前記共通電圧は、一定の第一共通電圧と周期的に変化する第二共通電圧が重なって構成され、前記第二共通電圧の絶対値は、何れか１つのフレーム中の走査電圧と第一共通電圧の差値より小さく、１つの周期内で、前記第二共通電圧値が正数になる次数と負数になる次数が同じであることを特徴とする液晶表示装置を提供する。
【００１０】
前記第二の目的を達成するため、本発明は、走査駆動回路と、共通電圧産生回路と、複数のソースラインと、複数の画素電極と、共通電極と、を含み、前記走査駆動回路は複数のソースラインを介して前記複数の画素電極に走査電圧を提供し、前記共通電圧産生回路は前記共通電極に共通電圧を提供する液晶表示装置の駆動方法において、何れか１つのフレームで、前記共通電圧は、一定の第一共通電圧と周期的に変化する第二共通電圧が重なって構成され、前記第二共通電圧の絶対値は、何れか１つのフレーム中の走査電圧と第一共通電圧の差値より小さく、１つの周期内で、前記第二共通電圧値が正数になる次数と負数になる次数が同じであることを特徴とする液晶表示装置の駆動方法を提供する。
【発明の効果】
【００１１】
本発明の液晶表示装置及びその駆動方法において、共通電圧を少し改変させると、画素電極と共通電極との間の電場の大小が少し変化され、液晶分子も少し回転する。しかし、こんな小さい変化は人の眼で感じることができなく、表示効果を影響しない。液晶分子が少し回転するので、液晶層中の不純なイオンが互いに突き当たる確率が増加される。第一配向膜及び第二配向膜に付着される確率が減少される。従って、前記第一配向膜と第二配向膜の間に形成した直流電場の強度が減少され、液晶表示装置の映像が停止することも防ぐことができる。
【発明を実施するための最良の形態】
【００１２】
図３は、本発明の第１実施形態に係る液晶表示装置の構造を示す図である。前記液晶表示装置２０は、第一基板２１と、共通電極２２と、第一配向層２３と、液晶層２４と、第二配向層２５と、複数の画素電極２６と、第二基板２７と、を備える。前記第一基板２１と前記第二基板２７が対向に設置され、前記第一基板２１と前記第二基板２７の間に前記液晶層２４が配置されている。前記第一基板２１の内表面に、前記共通電極２２と前記第一配向層２３が順番に設置され、前記第二基板２７の内表面に、前記画素電極２６と第二配向層２５が順番に設置されている。各々の画素電極２６と、前記画素電極２６に対応する液晶分子と、前記画素電極２６に対応する一部分共通電極２２は、１つの画素を構成する。
【００１３】
図４は、本発明の液晶表示装置の回路構造を示す図である。前記液晶表示装置２０は、制御回路３１と、ゲート駆動回路３２と、走査駆動回路３３と、共通電圧産生回路３４と、互いに平行する複数のゲートライン２０１と、互いに平行し、且つ前記ゲートライン２０１と絶縁的に交差する複数のソースライン２０２と、前記ゲートライン２０１とソースライン２０２が交差する個所に隣接する複数の薄膜トランジスタ２０６と、複数画素電極２６と、前記複数画素電極２６と対向する複数の共通電極２２と、前記電極２６と電極２２との間の充填される液晶分子と、を備える。
【００１４】
外界の信号を前記制御回路３１に入力すると、前記制御回路３１は、制御信号を出力して前記ゲート駆動回路３２と前記走査駆動回路３３が正常に作業するように制御する同時に、前記走査駆動回路３３に対応する走査信号を送信する。前記ゲート駆動回路３２からの走査電圧が前記複数ソースライン２０１を介して対応する前記薄膜トランジスタ２０６のゲート電極に印加されると、この薄膜トランジスタ２０６が開く。前記走査駆動回路３３からのゲート電圧が前記ソースライン２０２を介して対応する前記薄膜トランジスタ２０６のソース電極に印加される。このとき、もし前記薄膜トランジスタ２０６が開く状態であると、前記ゲート電圧が薄膜トランジスタ２０６のドレイン電極に送信され、且つ画素電極２６に印加される。同時に、前記共通電圧産生回路３４で生じる共通電圧が共通電圧前記共通電極２２に印加される。従って、前記画素電極２６と前記共通電極２２との間に液晶分子の回転を制御する電場が生じる。
【００１５】
図５は、図３に示す液晶表示装置の１つの画素に印加される走査電圧と共通電圧の波形図である。第ｎ−２フレームで、前記画素の画素電極２６に正電圧Ｖｄａｔａ１を印加し、前記共通電極２２に正電圧Ｖｃｏｍを印加する。これで、Ｖｃｏｍ＞Ｖｄａｔａ１である。第ｎ−１フレームで、前記画素の画素電極２６に正電圧Ｖｄａｔａ２を印加し、前記共通電極２２に正電圧Ｖｃｏｍ−Ｖａを印加する、これで、Ｖｄａｔａ２＞Ｖｃｏｍであり、Ｖａ＜Ｖｄａｔａ２−Ｖｃｏｍであり共通電圧、且つ、Ｖｄａｔａ２−Ｖｃｏｍ＝Ｖｃｏｍ−Ｖｄａｔａ１である。第ｎフレームで、前記画素の画素電極２６に正電圧Ｖｄａｔａ１を印加し、前記共通電極２２に正電圧Ｖｃｏｍを印加する。第ｎ＋１フレームで、前記画素の画素電極２６に正電圧Ｖｄａｔａ２を印加し、前記共通電極２２に正電圧Ｖｃｏｍ＋Ｖａを印加する。第ｎ＋２フレームで、前記画素の画素電極２６に正電圧Ｖｄａｔａ１を印加し、前記共通電極２２に正電圧Ｖｃｏｍを印加する。即ち、第ｎ＋２フレームの状態と第ｎ−２フレームの状態が同じであり、波形が規則に変化する。
【００１６】
電場の作用によって、液晶分子に電気双極子のような極性が生じる。第ｎ−２フレームで、電場方向が共通電極２２から画素電極２６へ向く。液晶分子が電場によって回転する角度は、電場の大小によって決まる。ここで、共通電極２２と画素電極２６の間の距離をｄとすると、電場の大きさは、
【００１７】
【数１】
2008146080.tif 000003
であり、液晶分子の電気双極子モーメント方向と電場方向の夾角はθである。
【００１８】
第ｎ−１フレームで、電場方向は画素電極２６から共通電極２２へ向き、電場の大きさは、
【００１９】
【数２】
2008146080.tif 000004
であり、液晶分子の電気双極子モーメント方向と電場方向の夾角は（θ−ψ）である。
【００２０】
第ｎフレームで、電場方向は共通電極２２から画素電極２６へ向き、電場の大きさは、
【００２１】
【数３】
2008146080.tif 000005
であり、液晶分子の電気双極子モーメント方向と電場方向の夾角はθである。
【００２２】
第ｎ＋１フレームで、電場方向は画素電極２６から共通電極２２へ向き、電場の大きさは、
【００２３】
【数４】
2008146080.tif 000006
であり、液晶分子の電気双極子モーメント方向と電場方向の夾角は（θ＋ψ）である。
【００２４】
第ｎ＋２フレームで、電場方向は共通電極２２から画素電極２６へ向き、電場の大きさは、
【００２５】
【数５】
2008146080.tif 000007
であり、液晶分子の電気双極子モーメント方向と電場方向の夾角はθである。
【００２６】
即ち、電場の大きさがＶａ／ｄ変化するとき、液晶分子もψ回転する。しかし、こんな小さい変化は人の眼で感じることができないので、表示効果に影響しない。液晶分子が同じな位置に停止していないので、液晶層中の不純なイオンが互いに突き当たる確率が増加され、配向膜に付着される確率が減少される。従って、配向膜に付着される不純なイオンにより直流電場の強度を減少し、液晶表示装置の映像が停止することも防ぐことができる。
【００２７】
図６は、図４に示す共通電圧産生回路の具体的な回路構造を示す図である。前記共通電圧産生回路３４は、電源入力端子３０１と、オペアンプ３０２と、第一制御信号入力端子３０３と、第二制御信号入力端子３０４と、トランジスタＱ１と、トランジスタＱ２と、抵抗素子Ｒ１と、抵抗素子Ｒ２と、抵抗素子Ｒ０と、抵抗素子Ｒ３と、抵抗素子Ｒ４と、を備える。前記電源入力端子３０１は電圧Ｖｄｄを接収し、前記抵抗素子Ｒ０は抵抗値可変型抵抗素子であり、前記抵抗素子Ｒ３と抵抗素子Ｒ４の抵抗値が同じである。前記抵抗素子Ｒ１と、抵抗素子Ｒ２と、抵抗素子Ｒ０と、抵抗素子Ｒ３と、抵抗素子Ｒ４とは、前記電源入力端子３０１と地面との間に順に直列されて、１つの分圧回路を構成する。前記トランジスタＱ１のソース電極、ドレイン電極と前記抵抗素子Ｒ３は、並列方式に接続され該トランジスタＱ１のゲート電極は、前記第一制御信号入力端子３０３に接続されている。前記トランジスタＱ２のソース電極、ドレイン電極と前記抵抗素子Ｒ４は、並列方式に接続され、該トランジスタＱ２のゲート電極は、前記第二制御信号入力端子３０４に接続されている。前記抵抗素子Ｒ１と抵抗素子Ｒ２の間の１つの接続点が前記オペアンプ３０２の入力端子に接続されている。前記オペアンプ３０２の逆相入力端子は、直接出力端子に接続され、共通電圧該出力端子から共通電圧が出力される。
【００２８】
図７は、前記第一制御信号入力端子と第二制御信号入力端子の入力信号の波形を示す図である。これで、図６と一緒に前記共通電圧産生回路３４の作業過程を説明する。第ｎ−２フレームにおいて、前記第一制御信号入力端子３０３は高レベルの電位を接収し、前記第二制御信号入力端子３０４は低レベルの電位を接収する。且つ、前記トランジスタＱ１がオンされ、前記トランジスタＱ２がオフされ、前記抵抗素子Ｒ３がショートされる。このとき、前記オペアンプ３０２の出力端子が出力する電圧値は、
【００２９】
【数６】
2008146080.tif 000008
であり、Ｖｏｕｔ＝Ｖｃｏｍである。
【００３０】
第ｎ−１フレームにおいて、前記第一制御信号入力端子３０３は高レベルの電位を接収し、前記第二制御信号入力端子３０４は高レベルの電位を接収する。且つ、前記トランジスタＱ１がオンされ、前記トランジスタＱ２もオンされ、前記抵抗素子Ｒ３と抵抗素子Ｒ４がショートされる。このとき、オペアンプ３０２の出力端子が出力する電圧値は、
【００３１】
【数７】
2008146080.tif 000009
であり、Ｖｏｕｔ＝Ｖｃｏｍ−Ｖａである。
【００３２】
第ｎフレームにおいて、前記第一制御信号入力端子３０３は低レベルの電位を接収し、前記第二制御信号入力端子３０４は高レベルの電位を接収する。且つ、前記トランジスタＱ１がオフされ、前記トランジスタＱ２がオンされ、抵抗素子Ｒ４がショートされる。このとき、オペアンプ３０２の出力端子が出力する電圧値は、
【００３３】
【数８】
2008146080.tif 000010
であり、Ｖｏｕｔ＝Ｖｃｏｍである。
【００３４】
第ｎ＋１フレームにおいて、前記第一制御信号入力端子３０３は低レベルの電位を接収し、前記第二制御信号入力端子３０４は低レベルの電位を接収する。且つ、前記トランジスタＱ１がオフされ、前記トランジスタＱ２がオフされる。このとき、オペアンプ３０２の出力端子が出力する電圧値は、
【００３５】
【数９】
2008146080.tif 000011
であり、Ｖｏｕｔ＝Ｖｃｏｍ＋Ｖａであり、第ｎ＋２フレームと第ｎ−２フレームが同じだから、これで再度説明しない。
【００３６】
本発明の液晶表示装置２０の駆動方法において、共通電圧を少し改変させると、画素電極２６と共通電極２２との間の電場の大きさが少し変化して、液晶分子も少し回転する。しかし、こんな小さい変化は人の眼で感じることができないので、表示効果に影響しない。液晶分子が少し回転するので、液晶層２４中の不純なイオンが互いに突き当たる確率が増加される。第一配向膜２３及び第二配向膜２５に付着される確率が減少される。従って、前記第一配向膜２３と第二配向膜２３、２５の間に形成した直流電場の強度が減少され、液晶表示装置２０の映像が停止することも防ぐことができる。
【００３７】
以下、本発明の第２実施形態について説明する。
図８に示すように、第ｎ−２フレームに、前記画素の画素電極２６は正の電圧Ｖｄａｔａ１を印加し、前記共通電極２２は正の電圧Ｖｃｏｍ−Ｖｂを印加し、そのうち、Ｖｃｏｍ＞Ｖｄａｔａ１、Ｖｂが０ボルトより大きくかつ前記共通電圧Ｖｃｏｍの５％より小さい。第ｎ−１フレームに、前記画素の画素電極２６は正の電圧Ｖｄａｔａ２を印加し、前記共通電極２２は正の電圧Ｖｃｏｍ−Ｖｂを印加し、そのうち、Ｖｄａｔａ２＞Ｖｃｏｍ、且つＶｄａｔａ２−Ｖｃｏｍ＝Ｖｃｏｍ−Ｖｄａｔａ１。第ｎフレームに、前記画素の画素電極２６は正の電圧Ｖｄａｔａ１を印加し、前記共通電極２２は正の電圧Ｖｃｏｍ＋Ｖｂを印加する。第ｎ＋１フレームに、前記画素の画素電極２６は正の電圧Ｖｄａｔａ２を印加し、前記共通電極２２は正の電圧Ｖｃｏｍ＋Ｖｂを印加する。第ｎ＋２フレームに、前記画素の画素電極２６は正電圧Ｖｄａｔａ１を印加し、前記共通電極２２は正電圧Ｖｃｏｍ−Ｖｂを印加する。即ち、第ｎ＋２フレームの状態は第ｎ−２フレームの状態と同じであって、これのように１つの循環を完成する。これから各々のフレームは以上に記述した規律を重複する。
【００３８】
以上に述べることを総合すると前記共通電圧の変更規律を総括することができる。これは以下に記述するようなものである。何れか１つのフレームで、前記共通電圧は一定の主共通電圧（Ｖｃｏｍ）と周期的に変化する副共通電圧（Ｖａ或いはＶｂ）が重なって構成され、前記副共通電圧（Ｖａ或いはＶｂ）の値は、何れか１つのフレーム中の走査電圧（Ｖｄａｔａ１或はＶｄａｔａ２）と主共通電圧（Ｖｃｏｍ）の差値より小さく、一つの周期内で、前記副共通電圧（Ｖａ或いはＶｂ）の取る値が正になる次数は、負になる次数と同じである。
【図面の簡単な説明】
【００３９】
【図１】従来の液晶表示装置の構造の一例を示す図である。
【図２】図１に示す液晶表示装置の一つの画素に印加した走査電圧と共通電圧の波形図である。
【図３】本発明の液晶表示装置の第１の実施形態の構成を示す図である。
【図４】本発明の液晶表示装置の回路構造を示す図である。
【図５】図３に示す液晶表示装置の一つの画素に印加した走査電圧と共通電圧の波形図である。
【図６】図４に示す共通電圧産生回路の具体的回路構造の一例を示す図である。
【図７】第一、第二制御信号入力端子の入力信号波形図である。
【図８】本発明の液晶表示装置共通電極に印加した共通電圧別の波形図の一例である。
【符号の説明】
【００４０】
２０  液晶表示装置
２１  第一基板
２２  共通電極
２３  第一配向層
２４  液晶層
２５  第二配向層
２６  複数の画素電極
２７  第二基板
３１  制御回路
３２  ゲート駆動回路
３３  走査駆動回路
３４  共通電圧産生回路
２０１  ゲートライン
２０２  ソースライン
２０６  薄膜トランジスタ
３０１  電源入力端子
３０２  オペアンプ
３０３  第一制御信号入力端子
３０４  第二制御信号入力端子
Ｑ１  トランジスタ
Ｑ２  トランジスタ
Ｒ１  抵抗素子
Ｒ２  抵抗素子
Ｒ０  抵抗素子
Ｒ３  抵抗素子
Ｒ４  抵抗素子
【図１】
2008146080.tif 000012
【図２】
2008146080.tif 000013
【図３】
2008146080.tif 000014
【図４】
2008146080.tif 000015
【図５】
2008146080.tif 000016
【図６】
2008146080.tif 000017
【図７】
2008146080.tif 000018
【図８】
2008146080.tif 000019